(57)【特許請求の範囲】
【請求項１】
便蓋の枢支部に相対回転不可に係合して支持する制動支軸を備えた開閉速度抑制手段を便器上に載置固定される本体カバーに配設した便座装置における便蓋開閉検知装置であって、制動支軸に嵌合可能な指示リングの内周の少なくとも一部に制動支軸の異径部に係合する異径部を設けるとともに、指示リングの外周から回転位置指示片を突設し、開閉速度抑制手段の制動支軸に径方向外方に突出する回転位置指示片を設け、開閉速度抑制手段の取付部の適所に回転位置指示片を検知する検知手段を配設したことを特徴とする便蓋開閉検知装置。
【請求項２】
制動支軸又は指示リングの外周に、本体カバーに形成した制動支軸貫通穴の周囲の内壁面に近接するシールフランジを突設し、その外周から回転位置指示片を突設したことを特徴とする請求項１記載の便蓋開閉検知装置。
【請求項３】
便蓋の枢支部に相対回転不可に係合して支持する制動支軸を備えた開閉速度抑制手段を便器上に載置固定される本体カバーに配設した便座装置における便蓋開閉検知装置であって、開閉速度抑制手段の制動支軸に径方向外方に突出する回転位置指示片を設け、開閉速度抑制手段の取付部の適所に回転位置指示片を検知する検知手段を配設し、開閉速度抑制手段を本体カバーに形成した受部と本体カバーに締結固定可能な取付部材との間で挟持して保持し、取付部材の外面に検知手段を装着したことを特徴とする請求項１記載の便蓋開閉検知装置。
【請求項４】
取付部材の外面に検出手段から延出されたリード線を係合させて保持する係止片を設けたことを特徴とする請求項３記載の便蓋開閉検知装置。
【請求項５】
検知手段からの信号によって温水タンクと便座の少なくとも一方の温度設定を可変するようにしたことを特徴とする請求項１〜４の何れか１項に記載の便蓋開閉検知装置。
【請求項６】
検知手段からの信号によって脱臭手段のＯＮ／ＯＦＦを制御するようにしたことを特徴とする請求項１〜５の何れか１項に記載の便蓋開閉検知装置。
【発明の詳細な説明】
【０００１】
【発明の属する技術分野】
本発明は便蓋開閉検知装置及び便座装置に関し、特に便器上に載置固定される本体カバーに開閉回動自在に枢支されかつ開閉速度抑制手段にて急激な開閉が抑制されている便蓋の開閉を検知する便蓋開閉検知装置、及びその検知信号によって温水タンク又は便座又はそれら両者の温度設定を可変して節電を図るようにした便座装置に関するものである。
【０００２】
【従来の技術】
従来から、便器上に載置固定される本体カバーに便座と便蓋を回動自在に枢支した便座装置は知られており、さらにそれに保温便座や温水洗浄装置を設けたものも知られている。
【０００３】
また、便蓋が開いた状態から自重で急激に閉じて便器上に衝突し、不快な音を発生したり、閉じている便蓋を手荒く開いて便蓋がその開位置ストッパなどに激しく衝突し、便蓋の損傷の原因になったりするのを防止するため、便蓋の枢支部に回転オイルダンパなどの開閉速度抑制手段を配設したものも知られている。
【０００４】
一方、便蓋や便座を自動的に開閉する自動開閉装置を備えたものも、例えば特開平６−１０５７５６号公報や特開平７−２４１２５６号公報等において開示されている。この自動開閉装置を備えたものにおいては、その開閉駆動手段の制御を行うためにそれらの開閉状態を検知する必要があり、種々の構成の開閉位置検知手段が設けられている。
【０００５】
【発明が解決しようとする課題】
ところで、保温便座や温水洗浄装置を設けた便座装置において、便座の温度や温水タンクの温度を、便座を使用しない時にも使用時と同じ温度に保つように制御すると、熱の無駄な消費が大きく、消費電力が大きいという問題がある。そこで、便蓋が閉じられている非使用時には、保温温度を低く設定することにより消費電力を小さくし、節電できるようにした便座装置が考えられる。
【０００６】
ところが、便蓋の自動開閉装置を設けず、開閉速度抑制手段を設けた便座装置においては、便蓋の開閉検知装置は必要としないために設けられていず、そのため保温便座や温水洗浄装置を設けたものにおいても、上記のように非使用時に保温温度を低く設定して節電を図るものは考えられていず、従って節電効果が得られないという問題があった。
【０００７】
また、開閉速度抑制手段を設けた便座装置においても、便蓋を閉じている時に保温温度を低くして上記節電効果を得るために、便蓋の開閉を検知する手段を設けようとする場合に、上記自動開閉装置に設けられているような、ホール素子等を用いた開閉位置検知手段を、開閉速度抑制手段の制動支軸を延長してその軸端部に設けると、本体カバーの便蓋支承部の幅寸法が大きくなり、所定の幅寸法に納まるようにコンパクトに構成することができなくなるという問題があり、またそれを回避するために開閉速度抑制手段を便蓋側に配設しようとすると、構成が複雑になってコスト高になるという問題がある。
【０００８】
また、脱臭手段を備えた便座装置においては、着座後に脱臭装置が作用するようにしているため、便蓋を開けたときにこもっていた臭いが発散して不快な場合があるという問題もあった。
【０００９】
本発明は、上記従来の問題点に鑑み、開閉速度抑制手段を設けた便座装置においてコンパクトな構成で便蓋の開閉を検知できる便蓋開閉検知装置、及び便座を閉じた非使用時の節電を図り、また使用時に効果的に脱臭することができる便座装置を提供することを目的としている。
【００１０】
【課題を解決するための手段】
本発明の便蓋開閉検知装置は、便蓋の枢支部に相対回転不可に係合して支持する制動支軸を備えた開閉速度抑制手段を便器上に載置固定される本体カバーに配設した便座装置における便蓋開閉検知装置であって、開閉速度抑制手段の制動支軸に径方向外方に突出する回転位置指示片を設け、開閉速度抑制手段の取付部の適所に回転位置指示片を検知する検知手段を配設したことを基本構成とするものであり、この基本構成により、制動支軸には回転位置指示片を設けるだけでよいため制動支軸の軸芯方向の寸法を殆ど又は全く大きくせずに済み、この回転位置指示片を開閉速度抑制手段の取付部の適所に配設した検知手段にて検知するので、本体カバーの便蓋支承部の幅寸法を大きくする必要がなくて、所定の幅寸法に納まるようにコンパクトに構成することができる。なお、回転位置指示片は制動支軸と一体的に形成してもよいが、次のように別部材にて構成してもよい。また、上記基本構成に加え、さらに、制動支軸に嵌合可能な指示リングの内周の少なくとも一部に制動支軸の異径部に係合する異径部を設けるとともに、指示リングの外周から回転位置指示片を突設すると、制動支軸に対して指示リングを嵌合することによって回転位置指示片を設けたことを特徴として、既成の開閉速度抑制手段をそのまま用いることができて、低コストにて構成できる。
【００１２】
また、制動支軸又は指示リングの外周に、本体カバーに形成した制動支軸貫通穴の周囲の内壁面に近接するシールフランジを突設し、その外周から回転位置指示片を突設すると、シールフランジにて制動支軸貫通穴から本体カバー内に水が侵入してトラブルの原因になるのを防止できるとともに、このシールフランジと回転位置指示片を同時に一体形成できるので、構成のコンパクト化と低コスト化をさらに図ることができる。
【００１３】
また、本発明の便蓋開閉検知装置は、便蓋の枢支部に相対回転不可に係合して支持する制動支軸を備えた開閉速度抑制手段を便器上に載置固定される本体カバーに配設した便座装置における便蓋開閉検知装置であって、開閉速度抑制手段の制動支軸に径方向外方に突出する回転位置指示片を設け、開閉速度抑制手段の取付部の適所に回転位置指示片を検知する検知手段を配設した基本構成の上に、開閉速度抑制手段を本体カバーに形成した受部と本体カバーに締結固定可能な取付部材との間で挟持して保持し、取付部材の外面に検知手段を装着すると、検知手段を取付部材に簡単に取付けた構成を特徴とし、こにような特徴の構成によって、その後開閉速度抑制手段を本体カバーの受部に配置して取付部材を本体カバーに締結固定することによって作業性よく組付けることができる。
【００１４】
また、取付部材の外面に検知手段から延出されたリード線を係合させて保持する係止片を設けると、リード線に不測に大きな外力が作用した場合でも検知手段とリード線の接続部に損傷や破断等の欠損が生じるのを防止できるとともに、組付け時にリード線が邪魔になり難く、作業性を良くできる。
【００１５】
また、検知手段からの信号によって温水タンクと便座の少なくとも一方の温度設定を可変するようにしたものであり、便座を閉じた非使用時に温水タンクや便座の設定温度を低く設定することにより節電を図ることができる。
【００１６】
また、上記検知手段からの信号によって脱臭手段のＯＮ／ＯＦＦを制御するようにしたものであり、使用時に便蓋を開けると脱臭を開始するため、こもっていた臭いを素早く取り除くことができる。
【００１８】
【発明の実施の形態】
以下、本発明の便蓋開閉検知装置を温水洗浄便座装置に適用した一実施形態について、図１〜図６を参照して説明する。
【００１９】
図１において、１は便器（図示せず）上に載置固定される温水洗浄便座装置である。２はその本体カバーで、便座３と便蓋４が回動自在に枢支されている。
【００２０】
図２において、本体カバー２には後端部と両側部を除いて中央部に凹部５が形成されるとともにその両側に支承部６ａ、６ｂが形成されており、それらの内側面７ａ、７ｂは互いに略平行に対向している。これら内側面７ａ、７ｂには、本体カバー２と一体の固定支軸８と、便蓋４の開閉速度を抑制する開閉速度抑制手段１２の出力軸からなる制動支軸１３（図３参照）とが同一水平軸芯上に位置させて突設されている。なお、図２において便座３は図示を省略している。
【００２１】
便蓋４の一側の枢支部には、固定支軸８をその周側面から挿入・抜き出し可能でかつ挿入状態で固定支軸８を回転自在に保持する着脱軸受部９が設けられている。９ａは着脱軸受部９の周側面に形成した固定支軸８の挿入開口を開閉操作する操作部である。便蓋４の他側の枢支部には、制動支軸１３の先端部の異径部１３ａを嵌入係合させる異径断面の係合軸受穴１１を有する支持軸受部１０が設けられている。
【００２２】
図３〜図５において、開閉速度抑制手段１２は回転オイルダンパから成り、制動支軸１３の突出側とは反対側端面に回転止め用の係合突部１２ａが突設されている。この開閉速度抑制手段１２は、その外周を略半周取り囲む断面円弧状でその両側部に取付部１５ａ、１５ｂが設けられた取付部材１４内に保持された状態で、本体カバー２の支承部６ｂの内側天井部に形成された略円弧状の受部１６に当接配置され、その両側部に突設された取付ボス１７ａ、１７ｂと取付部材１４の取付部１５ａ、１５ｂをボルト１８にて締結固定することによって本体カバー２に取付けられている。
【００２３】
なお、取付ボス１７ａは取付部１５ｂに向けて嵌入係合するように突出形成され、また取付部１５ａからは取付ボス１７ｂの両側に係合するように脚部が延出され、それらの係合によって取付部材１４の位置決めが成されている。また、取付部材１４には、開閉速度抑制手段１２を保持した状態でその係合突部１２ａが嵌入係合するＵ字係合部１９が設けられている。
【００２４】
本体カバー２の支承部６ｂの内側面７ｂには、取付部材１４と受部１６にて位置決め保持された開閉速度抑制手段１２の制動支軸１３が、凹部５内に向けて突出する制動支軸貫通穴２０が形成されている。この制動支軸貫通穴２０の内周とその内側とにわたって、図６に詳細を示す指示リング２１が制動支軸１３に嵌合されて配置されている。
【００２５】
図６において、指示リング２１の内周面の軸芯方向一側部に直径方向に対向するように突部が突設されて異径部２１ａが形成され、軸芯方向略中央部の外周にシールフランジ２２が突設され、このシールフランジ２２の外周の適所から回転位置指示片２３が突出されている。
【００２６】
制動支軸１３においては、開閉速度抑制手段１２の本体部に近い基端部に円形軸部と異径部１３ａとの境界部が位置しており、指示リング２１の内周面の一側部の異径部２１ａが異径部１３ａに係合し、他側部が円形軸部に嵌合され、その状態で指示リング２１外周面の一側部が制動支軸貫通穴２０の内周に僅かな隙間をあけて対向するとともにシールフランジ２２が制動支軸貫通穴２０の周囲の内壁面に僅かな隙間をあけて対向するように構成されている。
【００２７】
取付部材１４の頂部には、検知手段としてのリミットスイッチ２４がそのアクチュエータ２４ａが指示リング２１の回転位置指示片２３にて作用を受けるようにビス２５にて取付けられている。即ち、便蓋４が開いた状態では回転位置指示片２３は図４に破線で示す位置にあり、便蓋４を閉じる方向に所定角度α以上回動すると、仮想線で示す角度βの範囲で回転位置指示片２３がアクチュエータ２４ａを押圧してリミットスイッチ２４をオンさせるように配置され、その角度βの範囲内で便蓋４が閉じるように構成されている。
【００２８】
また、取付部材１４の頂部のリミットスイッチ２４の背後の位置には、このリミットスイッチ２４から延出されたリード線２６を係合させて保持する係止片２７が突設されている。
【００２９】
リミットスイッチ２４による検出信号は、本体カバー２内に配設された制御部（図示せず）に入力され、制御部にて便蓋４が閉じられているときに便座３に内蔵されたヒータや温水洗浄用の温水タンクの設定温度を適当に低い温度に設定し、非使用時の節電を図るように構成されている。なお、制御部はリミットスイッチ２４が故障した場合には、上記節電機能を喪失するだけで、便座ヒータや温水タンクの温度制御を所定の設定温度で継続するように構成されている。
【００３０】
また、上記検出信号に基づいて本体カバー２内に配設された脱臭手段（図示せず）のＯＮ／ＯＦＦ制御を行うように構成されている。即ち、便蓋４が開かれると脱臭手段をＯＮして脱臭を開始し、便蓋４が閉じられると、ＯＦＦするように構成されている。なお、便蓋４が開きっぱなしの場合の対策としてタイマーを併用して一定時間経過するとＯＦＦするようにし、無駄な電力消費を無くしている。
【００３１】
以上の構成において、開閉速度抑制手段１２を本体カバー２に組付ける際には、開閉速度抑制手段１２をその係合突部１２ａをＵ字係合部１９に係合させた状態で取付部材１４に装着し、また取付部材１４の頂部にリミットスイッチ２４をビス２５にて取付けるとともに、開閉速度抑制手段１２の制動支軸１３に対して指示リング２１をその異径部２１ａを異径部１３ａに係合させた状態で嵌合し、その状態で取付部材１４を本体カバー２の支承部６ｂ内の天井部の受部１６に向けて下面開放部から挿入し、制動支軸１３の先端部を制動支軸貫通穴２０に挿通した状態で取付部材１４の取付部１５ａ、１５ｂを受部１６の取付ボス１７ａ、１７ｂにボルト１８にて締結固定することによって組付けは完了し、作業性よく組付けることができる。
【００３２】
また、本体カバー２に対して便蓋４を取付ける際には、便蓋４の枢支部の他側に設けられた支持軸受部１０の係合軸受穴１１に制動支軸１３の先端部の異径部１３ａを嵌入係合させた後、便蓋４の枢支部の他側に設けられた着脱軸受部９の操作部９ａを操作してその内部に周側開口から固定支軸８を挿入し、挿入開口を閉じることによって取付けは完了する。
【００３３】
こうして便蓋４を取付けると、便蓋４の開閉時には開閉速度抑制手段１２の制動支軸１３が共に回転するため、ダンパ機能によって便蓋４の急激な開閉が抑制され、不快な開閉音の発生や便蓋４の損傷が防止される。
【００３４】
また、便蓋４が閉じると、指示リング２１の回転位置指示片２３がリミットスイッチ２４のアクチュエータ２４ａを押圧してリミットスイッチ２４をオンさせることによって、便蓋４が閉じたことが検知される。この検知信号によって制御部にて便座３に内蔵されたヒータや温水洗浄用の温水タンクの設定温度を適当に低い温度に設定され、非使用時の節電が図られる。
【００３５】
また、便蓋４が開かれたときには、直ぐに脱臭手段がＯＮすることによって、こもっていた臭いが素早く取除かれ、快適に使用できる。
【００３６】
また、便蓋４が閉じたことを検知する検知装置は、開閉速度抑制手段１２の制動支軸１３における異径部１３ａと円形軸部との境界部に厚さの薄い指示リング２１を嵌合し、取付部材１４の頂部外面にリミットスイッチ２４を設けて構成しているので、制動支軸１３及び開閉速度抑制手段１２の軸芯方向の寸法を殆ど又は全く大きくせずに済み、本体カバー２の支承部６ｂの幅寸法を大きくする必要がない。かくして、温水洗浄便座装置１を所定の幅寸法に納まるようにコンパクトに構成することができる。また、制動支軸１３に指示リング２１を嵌合することによって回転位置指示片２３を設けるようにしているので、既成の開閉速度抑制手段１２をそのまま用いることができて、低コストにて構成できる。
【００３７】
また、指示リング２１の外周に、本体カバー２に形成した制動支軸貫通穴２０の周囲の内壁面に近接するシールフランジ２２を突設しているので、このシールフランジ２２にて制動支軸貫通穴２０から本体カバー２内に水が侵入してトラブルの原因になるのを防止できるとともに、このシールフランジ２２と回転位置指示片２３を同時に一体形成しているので、構成のコンパクト化と低コスト化をさらに図ることができる。
【００３８】
また、リミットスイッチ２４から延出されたリード線２６を取付部材１４の外面に設けられた係止片２７に係合させて保持するようにしているので、リード線２６に不測に大きな外力が作用した場合でもリード線２６の接続部に損傷や破断等の欠損が生じるのを防止できるとともに、組付け時にリード線２６が邪魔になり難く、作業性を良くできる。
【００３９】
上記実施形態の説明では、検知手段としてリミットスイッチ２４を用いた例を示したが、指示リング２１を例えば磁性を有するステンレス板の打抜き部品等の磁性材で構成することによりリードスイッチを用いることもでき、またその他光スイッチ等を用いることもできる。また、検知手段を取付部材１４の外面に取付けた例を示したが、取付部材１４や本体カバー２の受部１６内に配置してもよい。また、回転位置指示片２３やシールフランジ２２を制動支軸１３に一体成形してもよい。
【００４０】
【発明の効果】
本発明の便蓋開閉検知装置によれば、以上の説明から明らかなように、開閉速度抑制手段の支軸に径方向外方に突出する回転位置指示片を設け、開閉速度抑制手段の取付部の適所に回転位置指示片を検知する検知手段を配設したので、支軸には回転位置指示片を設けるだけでよいため支軸の軸芯方向の寸法を殆ど又は全く大きくせずに済み、本体カバーの便蓋枢支部の幅寸法を大きくする必要がなくて、所定の幅寸法に納まるようにコンパクトに構成できる。特に、支軸に嵌合可能な指示リングの内周の少なくとも一部に支軸の異径部に係合する異径部を設けるとともに、指示リングの外周から回転位置指示片を突設したことにより、支軸に対して指示リングを嵌合することによって回転位置指示片を設けることができ、既成の開閉速度抑制手段をそのまま用いることができて、低コストにて構成できる。
【００４２】
また、制動支軸又は指示リングの外周に、本体カバーに形成した支軸貫通穴の周囲の内壁面に近接するシールフランジを突設し、その外周から回転位置指示片を突設すると、シールフランジにて支軸貫通穴から本体カバー内に水が侵入してトラブルの原因になるのを防止できるとともに、このシールフランジと回転位置指示片を同時に一体形成できるので、構成のコンパクト化と低コスト化をさらに図ることができる。
【００４３】
また、開閉速度抑制手段を本体カバーに形成した受部と本体カバーに締結固定可能な取付部材との間で挟持して保持し、取付部材の外面に検知手段を装着すると、検知手段を取付部材に簡単に取付けることができ、その後開閉速度抑制手段を本体カバーの受部に配置して取付部材を本体カバーに締結固定することによって作業性よく組付けることができる。
【００４４】
また、取付部材の外面に検知手段から延出されたリード線を係合させて保持する係止片を設けると、リード線に不測に大きな外力が作用した場合でも検知手段とリード線の接続部に損傷や破断等の欠損が生じるのを防止できるとともに、組付け時にリード線が邪魔になり難く、作業性を良くできる。
【００４５】
また、検知手段からの信号によって温水タンクと便座の少なくとも一方の温度設定を可変するようにしたものであり、便座を閉じた非使用時に温水タンクや便座の設定温度を低く設定することにより節電を図ることができる。
【００４６】
また、検知手段からの信号によって脱臭手段のＯＮ／ＯＦＦを制御するようにすることにより、便蓋を開いたときに、こもっていた臭いを素早く取り除けて快適に使用することができる。
【図面の簡単な説明】
【図１】本発明の便蓋開閉検知装置を温水洗浄便座装置に適用した一実施形態の全体外観斜視図である。
【図２】同実施形態の本体カバーと便蓋の分解斜視図である。
【図３】図２のＡ−Ａ矢視横断下面図である。
【図４】図２のＢ−Ｂ矢視縦断側面図である。
【図５】図４のＣ−Ｃ矢視縦断面図である。
【図６】同実施形態における指示リングを示し、（ａ）は正面図、（ｂ）は（ａ）のＤ−Ｄ矢視断面図、（ｃ）は（ａ）のＥ−Ｅ矢視断面図である。
【符号の説明】
１  温水洗浄便座装置
２  本体カバー
３  便座
４  便蓋
１２  開閉速度抑制手段
１３  制動支軸
１３ａ  異径部
１４  取付部材
１６  受部
２０  制動支軸貫通穴
２１  指示リング
２１ａ  異径部
２２  シールフランジ
２３  回転位置指示片
２４  リミットスイッチ（検知手段）
２６  リード線
２７  係止片
【図１】
0004430180.tif 000002
【図２】
0004430180.tif 000003
【図３】
0004430180.tif 000004
【図４】
0004430180.tif 000005
【図５】
0004430180.tif 000006
【図６】
0004430180.tif 000007